(57)【要約】【課題】本発明は、釣りの仕掛けを自作する際に、モトスに数多くのエダスを連続して結び付ける事が可能となり、さらには、任意の寸法にエダス長さやエダス間隔が正確に調整可能となる治具を提供する事を課題としている。【解決手段】エダスの代わりにモトスを結び付けるパイプと、モトスを掛けてターンさせるロッドにて、パイプが貫通した等間隔で多数の結び目がモトスに連続して形成され、パイプの上方に位置するハンガーに、エダスを下げてパイプに挿入させた状態で、パイプ外周に並んだ一番上の結び目をエダス側に移動してはパイプ上部で結び目を締めエダスを結ぶ。この一連の作業を繰り返す事により、先に準備したモトスの結び目に順次エダスを結び付ける事で課題を解決するものである。【選択図】図３
2014200181.tif 000002
【特許請求の範囲】
【請求項１】
本発明は、釣りの仕掛けを自作する際にモトスに連続してエダスを結び付ける治具であって、エダスの針を引っ掛けて下げるハンガーと、下がったエダスが差し込まれるパイプと、パイプと並んで立つロッドによって構成され、ハンガーは上下してパイプ上端との距離を調整する機能を有し、ロッドはパイプとの距離を調整する機能を有する事を特徴とする治具である。
【発明の詳細な説明】
【技術分野】
【０００１】
本発明は、釣りにおける自作仕掛の治具に関する。
【背景技術】
【０００２】
モトスに連続してエダスを結び付ける連結具として、実用新案公開平６−８６４７２に開示のものが知られているが、仕掛作りは容易になるものの、神経質な魚に対しては、連結具を使わないで、ライン同士を結び付けてエダスを形成する仕掛が適しており、結び付けにより連続してエダスを取り付けていくための治具はなかった。
【０００３】
またモトスに連続してエダスを結び付けていく治具では、５本針や７本針などの少ない枝針数の仕掛では、釣り人はエダスを結び付ける治具としてエダス間隔が正確になるように板に釘を打ってゲージにするなど各人で工夫されてきたが、数多くのエダスを連続して効率的に取り付ける事が可能な自作仕掛の治具はなかった。
【先行技術文献】
【特許文献】
【０００４】
【特許文献１】実用新案公開公報  平６−８６４７２号公報
【発明の概要】
【発明が解決しようとする課題】
【０００５】
本発明は、釣りの仕掛けを自作する際に、モトスに数多くのエダスを連続して結び付ける治具を提供する事を目的とし、さらには、任意の寸法にエダス長さやエダス間隔が正確に調整可能とする事を課題としている。具体的には以降の第１から第３の課題を解決するものである。
【０００６】
第１の課題として、モトスに数多くのエダスを連続して結び付ける治具の提供を課題としている。  
【０００７】
第２の課題として、エダス長さを任意の寸法に正確に結び付けることが出来る治具の提供を課題としている。
【０００８】
第３の課題として、エダス間隔を任意の寸法に結び付けることが出来る治具の提供を課題としている。
【課題を解決するための手段】
【０００９】
本発明は、上述の第１の課題を解決するために、すなわち、モトスに数多くのエダスを連続して結び付けるために、エダスの針を引っ掛けて下げるハンガーと、下がったエダスが差し込まれるパイプと、パイプと並んで立つロッドによって構成する事によって解決している。
【００１０】
この構成と作業手順の関係は、手順１として、エダスの代わりにパイプにモトスを結び付け、モトスをロッドに掛けてターンさせ、再びパイプにモトスを結び付けていき、この一連の作業を繰り返す事により、パイプが貫通した等間隔で多数の結び目がモトスに連続して形成される。手順２として、ハンガーに一本ずつエダスを下げてパイプに挿入しては、パイプ外周に並んだ一番上の結び目をエダス側に移動してパイプ上部で結び目を締めエダスを結び、この一連の作業を繰り返す事により、手順１で準備したモトスの結び目に順次エダスが結ばれていくものである。
【００１１】
また、上述の第２の課題を解決するために、すなわち、エダス長さを任意の寸法に結び付けるために、上述のハンガーは上下する機能を有するものとする事によりパイプ上端との距離を調節する事により課題を解決している。
【００１２】
さらに、上述の第３の課題を解決するために、すなわち、エダス間隔を任意の寸法に結び付けるために、上述のロッドはパイプとの距離を調整する機能を有する事により、モトスが往復する距離を可変させる事により課題を解決している。
【発明の効果】
【００１３】
本発明によれば、従来、自作では難しかったモトスに数多くのエダスを連続して結び付ける事が可能となり、さらには、任意の寸法にエダス長さやエダス間隔が正確に調整可能となり、さらには一連の作業が迅速に効率的に出来るものである。
【図面の簡単な説明】
【００１４】
【図１】本発明の構成を示す説明図である。
【図２】本発明のしくみを示す取扱説明図である。
【図３】本発明のしくみを示す結び部分の説明図である。
【発明を実施するための形態】
【００１５】
以下、本発明の実施の形態について説明する。図１は、本発明の構成を示す説明図である。
【００１６】
図１は本発明の構成を示す説明図であり、図２は、本発明のしくみを示す取扱説明図であり、図３は、本発明のしくみを示す結び部分の説明図である。
【００１７】
図１において、本発明の治具は、土台１と、土台１に垂直に立てたパイプ３と、パイプ３の上方に位置するハンガー２と、ハンガー２を支えるための土台１に立てた雄ネジを有する支柱５と、支柱５に係合させたハンガー２を上下から締め付け固定する支柱用蝶ネジ６と、パイプ３と並んで立つロッド４と、ロッド４をスライドして位置調整するためのロッドスライド用レール８と、位置調整したロッド４をロッドスライド用レール８に固定するロッド用蝶ネジ７によって構成している。
【００１８】
図２において、本発明のしくみを示す取扱説明として、第１から第３の課題を解決するためのしくみについて説明している。
【００１９】
第１の課題を解決するために、すなわち、モトスＢに数多くのエダスＡを連続して結び付けるために、エダスＡの針を引っ掛けて下げるハンガー２と、下がったエダスＡが差し込まれるパイプ３と、パイプ３と並んで立つロッド４によって構成する事によって解決している。
【００２０】
この構成と作業手順の関係は、手順１として、エダスＡの代わりにパイプ３にモトスＢを結び付けては、モトスＢをロッド４に掛けてターンさせ、再びパイプ３にモトスＢを結び付けていき、この一連の作業を繰り返す事により、パイプ３が貫通した等間隔で多数の結び目がモトスＢに連続して形成される。手順２として、ハンガー２に一本ずつエダスＡを下げてパイプ３に挿入しては、パイプ３外周に並んだ一番上の結び目をエダスＡ側に移動してはパイプ３上部で結び目を締めエダスＡを結び、この一連の作業を繰り返す事により、手順１で準備したモトスＢの結び目に順次エダスＡが結ばれていくものである。
【００２１】
また、第２の課題を解決するために、すなわち、エダス長さを任意の寸法に結び付けるために、上述のハンガー２は上下する機能を有するものとし、図２では土台１に雄ネジを有する支柱５を立て、支柱５に係合させたハンガー２を上下の支柱用蝶ネジ６で締め付けて固定している。上下の蝶ネジ６の位置を調整する事により、ハンガー２は上下する機能を有し、ハンガー２とパイプ３上端との距離を調節する事により課題を解決している。
【００２２】
さらに、第３の課題を解決するために、すなわち、エダス間隔を任意の寸法に結び付けるために、上述のロッド４はパイプ３との距離を調整する機能を有するものとし、図２ではロッド４をスライドして位置調整するためのロッドスライド用レール８と、位置調整したロッド４をレール８に固定するロッド用蝶ネジ７によって構成している。このようにロッド４はパイプ３との距離を調整する機能を有する事により、モトスが往復する距離を可変させる事により課題を解決している。
【００２３】
図３において、本発明のしくみを示す結び部分の説明と、本発明の関係を説明している。
【００２４】
図３におけるモトスＢの結び方は、モトスＢに結び目を形成する際に、モトスＢの端部を結び目に潜らせないでモトスＢの途中部分に結び目を形成できるため、多数の結び目を連続してモトスＢに形成できる結び方である。俗称ではエダスの漁師結びと言われているものである。本発明の治具はこの結び方を採用して構成されたものである。作業手順としては、エダスＡの代わりにパイプ３にモトスＢを結び付け、ハンガー２から下げたエダスＡをパイプ３に挿入し、パイプ３外周に予め形成されている結び目をエダスＡ側に移動してパイプ３上部で一本ずつ結び目を締めてエダスＡを結んでいくものである。
【産業上の利用可能性】
【００２５】
本発明は、釣りの仕掛けを自作する際に、モトスに数多くのエダスを連続して結び付ける治具を提供するものとして活用する事ができる。
【符号の説明】
【００２６】
１      土台
２      ハンガー
３      パイプ
４      ロッド
５      支柱
６      支柱用蝶ネジ
７      ロッド用蝶ネジ
８      ロッドスライド用レール
Ａ      エダス
Ｂ      モトス
【図１】
2014200181.tif 000003
【図２】
2014200181.tif 000004
【図３】
2014200181.tif 000005